(57)【要約】【課題】ユーザが楽しみながら省エネへの取り組みができる炊飯器を提供すること。【解決手段】メニュー選択入力部１１と、複数の成長段階を有するキャラクタの情報を記憶するキャラクタ情報記憶部８と、キャラクタ情報の変更の判定および変更を行うキャラクタ情報変更管理部９と、ユーザの使用方法を分析する使用方法分析部１０と、キャラクタ情報記憶部８に記憶されているキャラクタ情報に基づいたキャラクタの表示などを行う表示部１５と、表示部１５などを制御する制御部１７とを備え、キャラクタ情報変更管理部９は、使用方法分析部１０の分析結果が所定の使用方法よりも省エネとなる使用方法であった場合に、キャラクタ情報記憶部８で管理されているキャラクタ情報を進化方向に変更するようにすることにより、ユーザが省エネに繋がる使用方法を行うことによって、表示部１５に表示されるキャラクタが成長していくようになる。【選択図】図１
2010088647.tif 000002
【特許請求の範囲】
【請求項１】
炊飯器本体の内部に収納され米と水を入れる鍋と、前記鍋を覆う蓋と、前記鍋を加熱する加熱部と、前記鍋の温度を検知する鍋温度検知部と、時間を計測する計時部と、複数のメニューから所望のメニューをユーザが選択するためのメニュー選択入力部と、前記メニュー選択入力部によって設定可能な各メニューに対応した炊飯シーケンスおよび保温シーケンスを記憶するシーケンス記憶部と、ユーザが炊飯動作の開始を入力するための炊飯開始入力部と、炊飯動作および保温動作など炊飯器の各種動作をユーザが途中で停止させるための動作停止入力部と、複数の成長段階を有するキャラクタの情報を記憶するキャラクタ情報記憶部と、前記キャラクタ情報記憶部で記憶されているキャラクタ情報の変更の判定および変更を行うキャラクタ情報変更管理部と、ユーザの使用方法を分析する使用方法分析部と、前記メニュー選択入力部によって選択されたメニューや炊飯残時間の表示および、前記キャラクタ情報記憶部に記憶されているキャラクタ情報に基づいたキャラクタの表示などを行う表示部と、前記加熱部や前記表示部などを制御する制御部とを備え、前記キャラクタ情報変更管理部は、前記使用方法分析部の分析結果が所定の使用方法よりも省エネとなる使用方法であった場合に、前記キャラクタ情報記憶部で管理されているキャラクタ情報を進化方向に変更することを特徴とする炊飯器。
【請求項２】
前記キャラクタ情報変更管理部は、前記使用方法分析部の分析結果が所定の使用方法よりも省エネとならない使用方法であった場合に、前記キャラクタ情報記憶部で管理されているキャラクタ情報を退化方向に変更することを特徴とする請求項１に記載の炊飯器。
【請求項３】
前記使用方法分析部は、前記メニュー選択入力部によってユーザが選択したメニューに基づいて省エネか否かを判定することを特徴とする請求項１または２に記載の炊飯器。
【請求項４】
前記使用方法分析部は、保温開始から前記動作停止入力部によってユーザが保温動作を停止させるまでに前記計時部が計時した時間に基づいて省エネか否かを判定することを特徴とする請求項１〜３のいずれか１項に記載の炊飯器。
【請求項５】
前記蓋の開または閉を検知する蓋開閉検知部を備え、前記使用方法分析部は、保温中に前記蓋開閉検知部が前記蓋の開閉を検知してから次に前記蓋の開閉を検知するまでに前記計時部が計時した時間に基づいて省エネか否かを判定することを特徴とする請求項１〜４のいずれか１項に記載の炊飯器。
【請求項６】
前記制御部は、前記使用方法分析部の分析結果が所定の使用方法よりも省エネとならない使用方法であった場合に、所定の使用方法よりも省エネとなる使用方法を前記表示部に表示することを特徴とする請求項１〜５のいずれか１項に記載の炊飯器。
【請求項７】
複数のキャラクタから任意のキャラクタを選択するキャラクタ選択入力部を備え、前記キャラクタ情報変更管理部は前記キャラクタ選択入力部によって選択されたキャラクタの情報に対して変更の判定および変更を行うことを特徴とする請求項１〜６のいずれか１項に記載の炊飯器。
【請求項８】
前記キャラクタ情報記憶部は、前記キャラクタ選択入力部で選択可能な複数のキャラクタ各々の情報を個別に記憶することを特徴とする請求項７に記載の炊飯器。
【請求項９】
前記キャラクタ情報記憶部に記憶されているキャラクタの情報をユーザが初期化するためのキャラクタ情報初期化入力部を備え、ユーザが前記キャラクタ情報初期化入力部によってキャラクタ情報を初期化することを可能としたことを特徴とする請求項１〜８のいずれか１項に記載の炊飯器。
【請求項１０】
前記キャラクタ情報記憶部は、不揮発性メモリであることを特徴とする請求項１〜９のいずれか１項に記載の炊飯器。
【発明の詳細な説明】
【技術分野】
【０００１】
本発明は、ユーザが省エネの取り組みができる炊飯器に関するものである。
【背景技術】
【０００２】
この種の炊飯器は、おいしいご飯に炊き上げるための火加減を、標準の炊飯シーケンスとしてマイコンに内蔵している。一般的な炊飯工程は、主に、米に水を吸水させる浸水工程と、一気に鍋内の温度を上げて沸騰させる炊き上げ工程と、沸騰を維持させて米の澱粉を糊化させてご飯にする沸騰維持工程と、炊き上がったご飯を蒸らして鍋内を均一に仕上げるむらし工程からなる。使用者は、洗った米を鍋内に入れ、その米の量に応じて鍋に入れる水加減を調整して炊飯器にセットして炊飯開始スイッチを押せば、およそ３０〜６０分で自動的にごはんを炊き上げることができるようになっている。このとき、炊き上げの火力は強いほど、ごはんの食味は良好であるとされている。つまり、炊き上げ工程において、より強い火力で炊飯するほど、ごはんはおいしいとされている（例えば、特許文献１参照）。近年では製品分野を問わず省エネへの取り組みが重要視されてきており、炊飯器においては、通常の炊飯モードよりも少ない電力で炊飯を行う省エネ炊飯モードを設けるものも提案されている（例えば、特許文献２参照）。
【特許文献１】特開平８−１６４０６６号公報
【特許文献２】特開平１１−８９７１２号公報
【発明の開示】
【発明が解決しようとする課題】
【０００３】
しかしながら、前記従来の炊飯器では、省エネ炊飯モードを選択できるようにしているが、ユーザが省エネ炊飯モード選択しなければ省エネへの取り組み効果が得られないという課題があった。
【０００４】
本発明は、前記従来の課題を解決するもので、複数の成長段階を有するキャラクタを表示部に表示し、ユーザが省エネに繋がる使用方法を行った場合に、表示部に表示されるキャラクタを成長させるようにすることによって、ユーザがキャラクタの育成を通じて楽しみながら省エネへの取り組みができるようにして、ユーザに省エネへの取り組みを促すことができる炊飯器を提供することを目的とする。
【課題を解決するための手段】
【０００５】
前記従来の課題を解決するために、本発明の炊飯器は、複数のメニューから所望のメニューをユーザが選択するためのメニュー選択入力部と、複数の成長段階を有するキャラクタの情報を記憶するキャラクタ情報記憶部と、前記キャラクタ情報記憶部で記憶されているキャラクタ情報の変更の判定および変更を行うキャラクタ情報変更管理部と、ユーザの使用方法を分析する使用方法分析部と、前記メニュー選択入力部によって選択されたメニューや炊飯残時間の表示および、前記キャラクタ情報記憶部に記憶されているキャラクタ情報に基づいたキャラクタの表示などを行う表示部と、前記加熱部や前記表示部などを制御する制御部とを備え、前記キャラクタ情報変更管理部は、前記使用方法分析部の分析結果が所定の使用方法よりも省エネとなる使用方法であった場合に、前記キャラクタ情報記憶部で管理されているキャラクタ情報を進化方向に変更するようにしたものである。
【０００６】
これによって、ユーザが省エネに繋がる使用方法を行うことによって、表示部に表示されるキャラクタが成長していくようになり、ユーザはキャラクタの育成を通じて楽しみながら省エネへの取り組みができるようになるので、ユーザに省エネへの取り組みを促すことができる。
【発明の効果】
【０００７】
本発明の炊飯器は、ユーザがキャラクタの育成を通じて楽しみながら省エネへの取り組みができるようになる。
【発明を実施するための最良の形態】
【０００８】
第１の発明は、炊飯器本体の内部に収納され米と水を入れる鍋と、前記鍋を覆う蓋と、前記鍋を加熱する加熱部と、前記鍋の温度を検知する鍋温度検知部と、時間を計測する計時部と、複数のメニューから所望のメニューをユーザが選択するためのメニュー選択入力部と、前記メニュー選択入力部によって設定可能な各メニューに対応した炊飯シーケンスおよび保温シーケンスを記憶するシーケンス記憶部と、ユーザが炊飯動作の開始を入力するための炊飯開始入力部と、炊飯動作および保温動作など炊飯器の各種動作をユーザが途中で停止させるための動作停止入力部と、複数の成長段階を有するキャラクタの情報を記憶するキャラクタ情報記憶部と、前記キャラクタ情報記憶部で記憶されているキャラクタ情報の変更の判定および変更を行うキャラクタ情報変更管理部と、ユーザの使用方法を分析する使用方法分析部と、前記メニュー選択入力部によって選択されたメニューや炊飯残時間の表示および、前記キャラクタ情報記憶部に記憶されているキャラクタ情報に基づいたキャラクタの表示などを行う表示部と、前記加熱部や前記表示部などを制御する制御部とを備え、前記キャラクタ情報変更管理部は、前記使用方法分析部の分析結果が所定の使用方法よりも省エネとなる使用方法であった場合に、前記キャラクタ情報記憶部で管理されているキャラクタ情報を進化方向に変更するように構成することにより、ユーザが省エネに繋がる使用方法を行うことによって、表示部に表示されるキャラクタが成長していくようになり、ユーザはキャラクタの育成を通じて楽しみながら省エネへの取り組みができるようになるので、ユーザに省エネへの取り組みを促すことができる。
【０００９】
第２の発明は、特に、第１の発明の炊飯器において、キャラクタ情報変更管理部は、使用方法分析部の分析結果が所定の使用方法よりも省エネとならない使用方法であった場合に、キャラクタ情報記憶部で管理されているキャラクタ情報を退化方向に変更するように構成することにより、ユーザが省エネに繋がらない使用方法を行うことによって、表示部に表示されるキャラクタが退化していくようになるので、キャラクタの育成を楽しみたいユーザに対して継続した省エネへの取り組みを促すことができる。
【００１０】
第３の発明は、特に、第１または第２の発明の炊飯器において、使用方法分析部は、メニュー選択入力部によってユーザが選択したメニューに基づいて省エネか否かを判定するように構成することにより、ユーザが選択したメニューによって表示部に表示されるキャラクタが変化するようになるので、省エネを意識したメニュー選択による省エネへの取り組みをユーザに促すことができる。
【００１１】
第４の発明は、特に、第１から第３のいずれか１つの発明の炊飯器において、保温開始から動作停止入力部によってユーザが保温動作を停止させるまでに計時部が計時した時間に基づいて省エネか否かを判定するように構成することにより、ユーザが保温を実施していた時間によって表示部に表示されるキャラクタが変化するようになるので、保温時間を短くすることによる省エネへの取り組みをユーザに促すことができる。
【００１２】
第５の発明は、特に、第１から第４のいずれか１つの発明の炊飯器において、蓋の開または閉を検知する蓋開閉検知部を備え、使用方法分析部は、保温中に前記蓋開閉検知部が前記蓋の開閉を検知してから次に前記蓋の開閉を検知するまでに計時部が計時した時間に基づいて省エネか否かを判定するように構成することにより、保温中に蓋開閉を検知した時を食事タイミングと見なし、食事タイミングから次の食事タイミングまでの時間によって、表示部に表示されるキャラクタが変化するようになるので、食事タイミングから次の
食事タイミングまでの時間が長い場合は、１回の食事に必要な量のみを２回に分けて炊飯することによる省エネへの取り組みをユーザに促すことができる。
【００１３】
第６の発明は、特に、第１から第５のいずれか１つの発明の炊飯器において、制御部は、使用方法分析部の分析結果が所定の使用方法よりも省エネとならない使用方法であった場合に、所定の使用方法よりも省エネとなる使用方法を表示部に表示するように構成することにより、ユーザにどのような使用方法が省エネとなるかをアドバイスすることができるようになるので、より確実に省エネへの取り組みをユーザに促すことができる。
【００１４】
第７の発明は、特に、第１から第６のいずれか１つの発明の炊飯器において、複数のキャラクタから任意のキャラクタを選択するキャラクタ選択入力部を備え、キャラクタ情報変更管理部は前記キャラクタ選択入力部によって選択されたキャラクタの情報に対して変更の判定および変更を行うように構成することにより、１つのキャラクタの育成が完了した場合でもキャラクタを変更して新たに育成ができるので、さらに継続した省エネへの取り組みをユーザに促すことができる。
【００１５】
第８の発明は、特に、第７の発明の炊飯器において、キャラクタ情報記憶部は、キャラクタ選択入力部で選択可能な複数のキャラクタ各々の情報を個別に記憶するように構成することにより、誤ってキャラクタを変更してしまった場合でも再度元のキャラクタを選択し直せば、元のキャラクタの育成を直前の状態から再開できるので、育成中のキャラクタの情報が失われることによるユーザの育成意欲の低下を防ぎ、継続した省エネへの取り組みをユーザに促すことができる。
【００１６】
第９の発明は、特に、第１から第８のいずれか１つの発明の炊飯器において、キャラクタ情報記憶部に記憶されているキャラクタの情報をユーザが初期化するためのキャラクタ情報初期化入力部を備え、ユーザが前記キャラクタ情報初期化入力部によってキャラクタ情報を初期化することを可能とするように構成することにより、キャラクタの育成を最初からやり直すことが可能となるので、キャラクタの育成が完了してしまった場合でも、再度最初から育成をやり直すことができるので、継続した省エネへの取り組みをユーザに促すことができる。
【００１７】
第１０の発明は、特に、第１から第９のいずれか１つの発明の炊飯器において、キャラクタ情報記憶部は、不揮発性メモリであるように構成することにより、炊飯器内部の電子回路への電源供給が停止した場合でもキャラクタ情報が保持されるので、育成中のキャラクタの情報が失われることによるユーザの育成意欲の低下を防ぎ、継続した省エネへの取り組みをユーザに促すことができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における炊飯器のブロック図を示すものである。
【００２０】
図１において、鍋２は炊飯器本体（図示せず）の内部に収納され、内部に米と水を入れてインバータと加熱コイルからなる加熱部３によって加熱される。鍋２の温度はサーミスタである鍋温度検知部４によって検知され、制御部１７に入力される。蓋１は蓋１の開または閉を検知する状態スイッチである蓋開閉検知部５を内装し、鍋２の上面を覆うように炊飯器本体に設けられる。制御部１７はマイクロコンピュータであり、計時部６、シーケンス記憶部７、キャラクタ情報記憶部８、キャラクタ情報変更管理部９、使用方法分析部１０などが内装されている。計時部６は、制御部１７（マイクロコンピュータ）に内蔵さ
れているタイマであり、制御部１７が各種制御を行うための時間を計測する。シーケンス記憶部７は、制御部１７（マイクロコンピュータ）に内蔵される記憶領域で、鍋温度検知部４によって検知された鍋２の温度や計時部６が計時した時間などに基づいて加熱部３を制御して鍋２内の調理物を調理するための情報（炊飯シーケンスおよび保温シーケンス）を、メニュー選択入力部１１によって選択可能なメニュー毎に予め記憶している。キャラクタ情報記憶部８は、制御部１７（マイクロコンピュータ）に内蔵される書き換え可能な記憶領域で、複数の成長段階を有するキャラクタの情報を記憶する。キャラクタ情報変更管理部９は、制御部１７（マイクロコンピュータ）に内蔵されるプログラムで、使用方法分析部１０の分析結果に基づいてキャラクタ情報記憶部８に記憶されているキャラクタ情報の変更の判定および変更を行うためのものである。使用方法分析部１０は、制御部１７（マイクロコンピュータ）に内蔵されるプログラムで、ユーザの使用方法の分析を行うためのものである。メニュー選択入力部１１は、予め用意されている複数のメニューからユーザが所望するメニューを選択するための入力スイッチで、その入力情報は制御部１７に入力される。炊飯開始入力部１２は、ユーザが炊飯動作の開始を入力するための入力スイッチで、その入力情報は制御部１７に入力される。動作停止入力部１３は、ユーザが炊飯動作および保温動作などの各種動作状態を途中で停止させるための入力スイッチで、その入力情報は制御部１７に入力される。キャラクタ選択入力部１４は、ユーザがキャラクタ情報記憶部８に予め用意されている複数のキャラクタから任意のキャラクタを選択するための入力スイッチで、その入力情報は制御部１７に入力される。表示部１５はドットマトリクス液晶であり、メニュー選択入力部１１によって選択されたメニューや炊飯残時間の表示および、キャラクタ情報記憶部８に記憶されているキャラクタ情報に基づいたキャラクタの表示などを表示するためのもので、制御部１７によってその表示内容が制御される。キャラクタ情報初期化入力部１６は、キャラクタ情報記憶部８に記憶されているキャラクタの情報をユーザが初期化するための入力スイッチで、その入力情報は制御部１７に入力される。
【００２１】
以上のように構成された炊飯器について、以下その動作、作用を図２および図３を用いて説明する。
【００２２】
図２は、本発明の第１の実施の形態における炊飯器の炊飯開始前から保温終了までの動作を示すフローチャートである。
【００２３】
図２において、ステップＳ１では、ユーザがメニュー選択入力部１１による入力を行うと、制御部１７は表示部１５に選択可能なメニューを表示し、メニュー選択入力部１１からの入力によりユーザに所望のメニューを選択させてステップＳ２へ進む。ステップＳ２では、ユーザが炊飯開始入力部１２による入力を行うと、制御部１７は炊飯動作を開始し、ステップＳ３へ進む。ステップＳ３では、制御部１７はステップＳ１でユーザが選択したメニューに対応した炊飯シーケンスデータ（シーケンス記憶部７に記憶されている）と鍋温度検知部４が検知した鍋２の温度と計時部６が計測した時間に基づいて加熱部３を制御して鍋２を加熱することによって炊飯を行いステップＳ４に進む。ステップＳ４では、制御部１７はブザー報知部（図示せず）によって炊飯終了をユーザに報知して炊飯動作を終了し、ステップＳ５へ進む。ステップＳ５では、使用方法分析部１０はステップＳ１でユーザが選択したメニューが判定基準となるメニュー（例えば「標準」メニュー）よりも省エネとなるメニュー（例えば「省エネ」メニュー）であったかを判定し、ユーザが選択したメニューが基準より省エネであった場合にはステップＳ６に進み、基準より省エネでなかった場合はステップＳ８へ進む。ステップＳ６では、キャラクタ情報変更管理部９はキャラクタ情報記憶部８に記憶されているキャラクタ情報に対して、キャラクタ進化ポイントの加算（例えば１ポイント加算）を行いステップＳ７へ進む。ステップＳ７では、制御部１７はキャラクタ情報記憶部８に記憶されているキャラクタ情報に基づいて表示部１５に表示しているキャラクタの表示を更新して（例えば図３（ａ）から図３（ｂ）のよう
に表示を更新する）ステップＳ８に進む。ステップＳ８では、制御部１７は、保温動作を開始してステップＳ９へ進み、ステップＳ９では、保温シーケンスデータ（シーケンス記憶部７に記憶されている）と鍋温度検知部４が検知した鍋２の温度と計時部６が計測した時間に基づいて加熱部３を制御して鍋２を加熱することによって保温を行いステップＳ１０に進む。ステップＳ１０では、ユーザが動作停止入力部１３による入力を行うと、制御部１７は保温動作を終了させる。
【００２４】
以上のように、本実施の形態においては、複数のメニューから所望のメニューをユーザが選択するためのメニュー選択入力部１１と、複数の成長段階を有するキャラクタの情報を記憶するキャラクタ情報記憶部８と、キャラクタ情報記憶部８に記憶されているキャラクタ情報の変更の判定および変更を行うキャラクタ情報変更管理部９と、ユーザの使用方法を分析する使用方法分析部１０と、メニュー選択入力部１１によって選択されたメニューや炊飯残時間の表示および、キャラクタ情報記憶部８に記憶されているキャラクタ情報に基づいたキャラクタの表示などを行う表示部１５と、表示部１５などを制御する制御部１７とを備え、使用方法分析部１０は、メニュー選択入力部１１によってユーザが選択したメニューに基づいて省エネに繋がる使用方法であるか否かを判定し、その判定結果が省エネに繋がるものであった場合に、キャラクタ情報変更管理部９は、キャラクタ情報記憶部８で管理されているキャラクタ情報を進化方向に変更するように構成することにより、ユーザが省エネに繋がる使用方法を行うことによって、表示部１５に表示されるキャラクタが成長していくようになり、ユーザはキャラクタの育成を通じて楽しみながら省エネへの取り組みができるようになるので、ユーザに省エネへの取り組みを促すことができる。
【００２５】
なお、本実施の形態においては、炊飯終了時にキャラクタ情報記憶部８に記憶されているキャラクタ情報の更新および表示部１５に表示されているキャラクタの更新を行う構成で説明したが、例えば保温終了後に更新を行うなど、キャラクタ情報および表示キャラクタの更新タイミングは任意に設計変更可能である。
【００２６】
また、本実施の形態においては、ユーザが省エネに繋がる行動を１回実施しただけで表示部１５に表示されるキャラクタを更新する構成で説明したが、複数回毎（例えば３回毎）に表示キャラクタを更新するようにしても良く、さらに、進化が進むに従い、キャラクタ更新に必要な省エネ行動の回数が増えるようにしても良い。
【００２７】
（実施の形態２）
図１において、キャラクタ情報変更管理部９は、例えばユーザが選択したメニューが判定基準となるメニュー（例えば「標準」メニュー）よりも省エネとならないメニュー（例えば「高火力」メニュー）であった場合、すなわち、使用方法分析部１０の分析結果が所定の使用方法よりも省エネとならない使用方法であった場合に、キャラクタ情報記憶部８で管理されているキャラクタ情報を退化方向に変更するように構成している。他の構成は上記実施の形態１と同じである。
【００２８】
以上のように構成された炊飯器について、以下その動作、作用を図３および図４を用いて説明する。なお、ステップＳ５およびステップＳ２１以外の動作は、上記実施の形態１の動作と同じであるので説明を省略する。
【００２９】
図４は、本発明の第２の実施の形態における炊飯器の炊飯開始前から保温終了までの動作を示すフローチャートである。
【００３０】
図４において、ステップＳ５では、使用方法分析部１０はステップＳ１でユーザが選択したメニューが判定基準となるメニュー（例えば「標準」メニュー）よりも省エネとなるメニュー（例えば「省エネ」メニュー）であったかを判定し、ユーザが選択したメニュー
が基準より省エネであった場合にはステップＳ６に進み、基準より省エネでなかった場合はステップＳ２１へ進む。ステップＳ２１では、キャラクタ情報変更管理部９はキャラクタ情報記憶部８に記憶されているキャラクタ情報に対して、キャラクタ進化ポイントの減算（例えば１ポイント減算）を行いステップＳ７へ進む。ステップＳ２１を経てステップＳ７が実施された場合、ステップＳ７では表示部１５の表示を、例えば図３（ｂ）から図３（ａ）のように更新する。
【００３１】
以上のように、本実施の形態においては、キャラクタ情報変更管理部９は、使用方法分析部１０の分析結果が所定の使用方法よりも省エネとならない使用方法であった場合に、キャラクタ情報記憶部８で管理されているキャラクタ情報を退化方向に変更するように構成することにより、ユーザが省エネに繋がらない使用方法を行うことによって、表示部１５に表示されるキャラクタが退化していくようになるので、キャラクタの育成を楽しみたいユーザに対して継続した省エネへの取り組みを促すことができる。
【００３２】
なお、本実施の形態においては、ユーザが選択したメニューが判定基準となるメニューより省エネとならない場合に、キャラクタ情報記憶部８で管理されているキャラクタ情報を退化方向に変更する構成で説明したが、判定基準となるメニューより省エネとはならないが、同レベルであった場合には、キャラクタ情報を進化方向にも退化方向にも更新しないようにしても良い。
【００３３】
（実施の形態３）
図１において、使用方法分析部１０は、保温開始から動作停止入力部１３によってユーザが保温動作を停止させるまでに計時部６が計時した時間に基づいて省エネか否かを判定するように構成している。他の構成は上記実施の形態１と同じである。
【００３４】
以上のように構成された炊飯器について、以下その動作、作用を図３および図５を用いて説明する。
【００３５】
図５は、本発明の第３の実施の形態における炊飯器の保温開始から保温終了までの動作を示すフローチャートである。
【００３６】
図５において、ステップＳ３１では、制御部１７は保温動作を開始してステップＳ３２へ進み、ステップＳ３２では、保温シーケンスデータ（シーケンス記憶部７に記憶されている）と鍋温度検知部４が検知した鍋２の温度と計時部６が計測した時間に基づいて加熱部３を制御して鍋２を加熱することによって保温を行いステップＳ３３に進む。ステップＳ３３では、計時部６は保温開始からの経過時間（保温経過時間）をカウントしてステップＳ３４に進む。ステップＳ３４では、制御部１７は動作停止入力部１３によるユーザからの入力の有無を判定し、入力があればステップＳ３５に進み、入力がなければステップＳ３２に戻り保温動作を継続する。ステップＳ３５では、制御部１７は保温動作を終了させてステップＳ３６に進む。ステップＳ３６では、使用方法分析部１０は、保温開始から動作停止入力部１３によってユーザが保温動作を停止させるまでに計時部６が計時した時間が判定基準となる時間（例えば３時間）よりも短いか否かを判定し、判定基準時間より短ければステップＳ３７に進み、短くなければ一連の保温動作を完了する。ステップＳ３７では、キャラクタ情報変更管理部９はキャラクタ情報記憶部８に記憶されているキャラクタ情報に対して、キャラクタ進化ポイントの加算（例えば１ポイント加算）を行いステップＳ３８へ進む。ステップＳ３８では、制御部１７はキャラクタ情報記憶部８に記憶されているキャラクタ情報に基づいて表示部１５に表示しているキャラクタの表示を更新して（例えば図３（ａ）から図３（ｂ）のように表示を更新する）一連の保温動作を完了する。
【００３７】
以上のように、本実施の形態においては、使用方法分析部１０は、保温開始から動作停止入力部１３によってユーザが保温動作を停止させるまでに計時部６が計時した時間に基づいて省エネか否かを判定するように構成することにより、ユーザが保温を実施していた時間によって前記表示部に表示されるキャラクタが変化するようになるので、保温時間を短くすることによる省エネへの取り組みをユーザに促すことができる。
【００３８】
（実施の形態４）
図１において、使用方法分析部１０は、保温中に蓋開閉検知部５が蓋１の開閉を検知してから次に蓋１の開閉を検知するまでに計時部６が計時した時間に基づいて省エネか否かを判定するように構成している。他の構成は上記実施の形態３と同じである。
【００３９】
以上のように構成された炊飯器について、以下その動作、作用を図３および図６を用いて説明する。なお、ステップＳ３１からステップＳ３８の動作は、上記実施の形態３の動作と同じであるので説明を省略する。
【００４０】
図６は、本発明の第４の実施の形態における炊飯器の保温開始から保温終了までの動作を示すフローチャートである。
【００４１】
図６において、ステップＳ４１では、制御部１７は蓋開閉検知部５からの入力によって蓋１の開閉の有無をチェックし、蓋１の開閉があった場合はステップＳ４２に進み、蓋１の開閉が無かった場合はステップＳ３４に進む。ステップＳ４２では、制御部１７は蓋１の開閉からの経過時間（以下、蓋開閉間隔とする）の測定が既に開始されているかを確認し、まだ測定を開始していない場合（保温を開始して最初の蓋１の開閉検知直後の場合）はステップＳ４３に進んで蓋開閉間隔の測定を開始し、既に測定が開始されている場合はステップＳ４４に進む。ステップＳ４４では、制御部１７は前回の蓋１の開閉から今回の蓋１の開閉までの時間、すなわち蓋開閉間隔を記録（既に記録済みの場合は、最も長い間隔のものを記録として残す）してステップＳ４５に進み、ステップＳ４５で計時部６のカウント値をリセットして蓋開閉間隔測定を再開した後、ステップＳ３４に進む。保温終了後に実施されるステップＳ４６では、使用方法分析部１０は、ステップＳ４４で記録した蓋開閉間隔が判定基準となる時間（例えば１０時間）よりも短いか否かを判定し、判定基準時間より短ければステップＳ３７に進み、短くなければ一連の保温動作を完了する。
【００４２】
以上のように、本実施の形態においては、使用方法分析部１０は、保温中に蓋開閉検知部５が蓋１の開閉を検知してから次に蓋１の開閉を検知するまでに計時部６が計時した時間に基づいて省エネか否かを判定するように構成することにより、保温中に蓋開閉を検知した時を食事タイミングと見なし、食事タイミングから次の食事タイミングまでの時間によって、前記表示部に表示されるキャラクタが変化するようになるので、食事タイミングから次の食事タイミングまでの時間が長い場合は、１回の食事に必要な量のみを２回に分けて炊飯することによる省エネへの取り組みをユーザに促すことができる。
【００４３】
（実施の形態５）
図１において、制御部１７は、使用方法分析部１０の分析結果が所定の使用方法よりも省エネとならない使用方法であった場合に、所定の使用方法よりも省エネとなる使用方法を表示部１５に表示するように構成している。他の構成は上記実施の形態４と同じである。
【００４４】
以上のように構成された炊飯器について、以下その動作、作用を図７および図８を用いて説明する。なお、ステップＳ３１からステップＳ４５の動作は、上記実施の形態４の動作と同じであるので説明を省略する。
【００４５】
図７は、本発明の第５の実施の形態における炊飯器の保温開始から保温終了までの動作を示すフローチャートである。
【００４６】
図７において、ステップＳ４６で蓋開閉間隔が判定基準時間以上であった場合、すなわち省エネにならないと判定した場合はステップＳ５１に進み、ステップＳ５１では、制御部１７は、例えば図８のように次回省エネとなる使用方法をするためのアドバイスを表示部１５に表示する。
【００４７】
以上のように、本実施の形態においては、制御部１７は、使用方法分析部１０の分析結果が所定の使用方法よりも省エネとならない使用方法であった場合に、所定の使用方法よりも省エネとなる使用方法を表示部１５に表示するように構成することにより、ユーザにどのような使用方法が省エネとなるかをアドバイスすることができるようになるので、より確実に省エネへの取り組みをユーザに促すことができる。
【００４８】
（実施の形態６）
図１において、キャラクタ情報変更管理部９はキャラクタ選択入力部１４によって選択されたキャラクタの情報に対して変更の判定および変更を行うように構成している。他の構成は上記実施の形態１と同じである。
【００４９】
以上のように構成することにより、１つのキャラクタの育成が完了した場合でもキャラクタを変更して新たに育成ができるので、さらに継続した省エネへの取り組みをユーザに促すことができる。
【００５０】
（実施の形態７）
図１において、キャラクタ情報記憶部８は、キャラクタ選択入力部１４で選択可能な複数のキャラクタ各々の情報を個別に記憶するように構成している。他の構成は上記実施の形態６と同じである。
【００５１】
以上のように構成することにより、誤ってキャラクタを変更してしまった場合でも再度元のキャラクタを選択し直せば、元のキャラクタの育成を直前の状態から再開できるので、育成中のキャラクタの情報が失われることによるユーザの育成意欲の低下を防ぎ、継続した省エネへの取り組みをユーザに促すことができる。
【００５２】
（実施の形態８）
図１において、キャラクタ情報記憶部８は、キャラクタ情報初期化入力部１６からの入力によって記憶しているキャラクタ情報を初期化することを可能とするように構成している。
【００５３】
以上のように構成することにより、キャラクタの育成を最初からやり直すことが可能となるので、キャラクタの育成が完了してしまった場合でも、再度最初から育成をやり直すことができるので、継続した省エネへの取り組みをユーザに促すことができる。
【００５４】
なお、誤ってキャラクタ情報の初期化を行わないように、キャラクタ情報初期化入力部１６からの入力があった場合は、本当に初期化するのかを確認する表示を表示部１５に表示した後、再度キャラクタ情報初期化入力部１６からの入力があった場合にキャラクタ情報を初期化するようにしておくことが好ましい。
【００５５】
（実施の形態９）
図１において、キャラクタ情報記憶部８はＥＥＰＲＯＭなどの不揮発性メモリによって構成している。他の構成は上記実施の形態１と同じである。
【００５６】
以上のように構成することにより、制御部１７への電源供給が停止した場合でもキャラクタ情報が保持されるので、育成中のキャラクタの情報が失われることによるユーザの育成意欲の低下を防ぎ、継続した省エネへの取り組みをユーザに促すことができる。
【産業上の利用可能性】
【００５７】
以上のように、本発明にかかる炊飯器は、ユーザが省エネに繋がる使用方法を行うことによって、表示部に表示されるキャラクタが成長していくようになり、ユーザはキャラクタの育成を通じて楽しみながら省エネへの取り組みができるようになって、ユーザに省エネへの取り組みを促すことができるので、炊飯器のみならずその他の電子機器にも適用できる。
【図面の簡単な説明】
【００５８】
【図１】本発明の実施の形態１における炊飯器のブロック図
【図２】同炊飯器の動作を示すフローチャート
【図３】同炊飯器の表示部の表示例を示す図
【図４】本発明の実施の形態２における炊飯器の動作を示すフローチャート
【図５】本発明の実施の形態３における炊飯器の動作を示すフローチャート
【図６】本発明の実施の形態４における炊飯器の動作を示すフローチャート
【図７】本発明の実施の形態５における炊飯器の動作を示すフローチャート
【図８】同炊飯器の表示部の表示例を示す図
【符号の説明】
【００５９】
１  蓋
２  鍋
３  加熱部
４  鍋温度検知部
５  蓋開閉検知部
６  計時部
７  シーケンス記憶部
８  キャラクタ情報記憶部
９  キャラクタ情報変更管理部
１０  使用方法分析部
１１  メニュー選択入力部
１２  炊飯開始入力部
１３  動作停止入力部
１４  キャラクタ選択入力部
１５  表示部
１６  キャラクタ情報初期化入力部
１７  制御部
【図１】
2010088647.tif 000003
【図２】
2010088647.tif 000004
【図４】
2010088647.tif 000005
【図５】
2010088647.tif 000006
【図６】
2010088647.tif 000007
【図７】
2010088647.tif 000008
【図３】
2010088647.tif 000009
【図８】
2010088647.tif 000010